(57)【要約】【課題】誘引された白蟻の有無または誘引数を簡単にかつ白蟻を容器外に逃走させず正確に、または巣を移転させてしまうという検知失敗の危険がないように確実に確認できるようにすることである。【解決手段】白蟻が出入り可能な開口部１を形成した容器の本体２と、その上面開口を密閉可能な蓋３とからなる容器を設け、この容器内に白蟻の誘引剤４を収容し、必要に応じて誘引剤４に駆除剤を含ませておき、容器の一部または全部を外部から内部の白蟻を目視可能な透視性素材であるポリアクリルなどで形成した白蟻検知・駆除装置とする。容器の一部または全体を容器外部から内部の白蟻を目視可能な透視性素材で形成したので、容器の外部から容器内部の白蟻の有無またはその行動を目視観察することができる。【選択図】　図２
2004113103.tif 000002
【特許請求の範囲】
【請求項１】
白蟻が出入り可能な開口部を有する容器を設け、この容器内に白蟻の誘引剤を収容した白蟻検知装置において、前記容器の一部または全体を容器外部から内部の白蟻を目視可能な透視性素材で形成したことを特徴とする白蟻検知装置。
【請求項２】
容器は、白蟻が出入り可能な開口部以外の部分が密閉された構造の容器である請求項１記載の白蟻検知装置。
【請求項３】
白蟻が出入り可能な開口部を有する容器を設け、この容器内に白蟻の誘引剤を収容した白蟻検知装置において、
前記容器の一部または全体を容器外部から内部の白蟻を確認可能な透視性素材で形成すると共に、前記誘引剤には駆除剤が一体に保持されている白蟻検知・駆除装置。
【請求項４】
請求項３に記載の白蟻検知・駆除装置において、白蟻が出入り可能な開口部に帯状の導入補助誘引剤を挿入して設けた白蟻検知・駆除装置。
【発明の詳細な説明】
【０００１】
【発明の属する技術分野】
この発明は、白蟻の生息状況を把握したり、または駆除にも用いうる白蟻検知装置または白蟻検知・駆除装置に関する。
【０００２】
【従来の技術】
白蟻は、木造建築物を食害して、その強度や耐久性を低下させる場合があるので、試験的に捕獲することによって生息の有無を確認して実害を予想したり、被害を未然に防ぐための駆除計画を立てたり、その他に必要に応じて即時に駆除するために、広く白蟻検知装置または白蟻検知・駆除装置用のシロアリ誘引装置が用いられている。
【０００３】
例えば、合成樹脂などで形成された上面開口の容器に白蟻の餌木を収容し、前記容器の底部に排水管を連結し、この排水管に白蟻が通過可能な孔を形成した白蟻の誘引装置が、周知である（例えば、特許文献１参照。）。
【０００４】
このような白蟻誘引装置では、水が土中に浸透拡散すると、活動する白蟻が、水に含まれる餌木の木材成分を認識し、さらに流出源まで辿るという習性によって排水管の孔付近から容器内部にまで誘引され、これによりモニタリング（検知）および駆除処理が可能である。
【０００５】
また、このような白蟻の誘引（検知）装置は、空き地や家の回りの土壌に設置された場合に、幼児等のいたずらがなされると事故になる場合が予想されるので、これを防止し、また砂粒その他の水以外の異物の容器内への侵入を防止するために、容器の上面開口に水透過性の蓋が設けられている。
【０００６】
このような蓋は、金属、木材、合成樹脂、ゴム、セラミックなどの周知の素材からなり、蓋により容器内部での白蟻の居心地を良くし、できるだけ落ち着いて餌材を摂食するように、遮光性の材料で形成されたものである。
【０００７】
【特許文献１】
特開平９−３１３０８４号公報（特許請求の範囲、第１〜６図）
【０００８】
【発明が解決しようとする課題】
しかし、上記した従来の白蟻の誘引（検知）装置は、容器状の装置の蓋部分または全体が遮光性の材料で形成されているので、誘引された白蟻の有無または、誘引数を確認するためには蓋を取り外して容器の一部を開口させ、内部を外気に曝して目視で確認しなければならず、その際には営巣していた餌材から白蟻が逃げ出す場合があるという問題点がある。
【０００９】
このように、白蟻の検知装置の一部を開口すると、容器の内部に外気が流れ込んで空気の流動や振動が起こる場合があり、これでは再度、継続して観察を行なおうとしても白蟻が逃走したまま戻らず、または巣を移転させてしまう場合もあり、そうなると正確なサンプリングができなくなる。
【００１０】
そこで、この発明の課題は、上記した問題点を解決して、誘引された白蟻の有無または誘引数を簡単にかつ白蟻を容器外に逃走させず正確に、または巣を移転させてしまうという検知失敗の危険がないように確実に確認できるようにすることである。
【００１１】
【課題を解決するための手段】
上記の課題を解決するために、この発明においては、白蟻が出入り可能な開口部を有する容器を設け、この容器内に白蟻の誘引剤を収容した白蟻検知装置において、前記容器の一部または全体を容器外部から内部の白蟻を目視可能な透視性素材で形成したことを特徴とする白蟻検知装置としたのである。
【００１２】
この発明において、白蟻検知装置がこのように構成されたのは、本願の発明者らが、白蟻類の習性について研究を重ねた結果、白蟻は光を嫌う性質があると考えられていた従来周知の習性とは異なり、光に対する忌避性はそれほどではなく、それよりも空気の流れに対して敏感に反応して行動するということを発見したことに基づいている。
【００１３】
上記したように構成されるこの発明の白蟻検知装置は、容器内に白蟻の誘引剤を収容し、容器の一部または全体を容器外部から内部の白蟻を目視可能な透視性素材で形成したので、容器の外部から容器内部の白蟻の有無またはその行動を目視観察することができる。
【００１４】
その場合、容器の内部に白蟻が生息しているかどうかを観察するために、容器内部を外気に曝すように開けて観察する必要はなくなり、容器の内部に外気が流れ込むことによる弊害、すなわち、白蟻の逃走や営巣場所の移転といったサンプリングが不正確になる事態や、誘引剤と一体の駆除剤を摂食しなくなるという駆除効率の低下がなくなる。
【００１５】
また、容器が、白蟻が出入り可能な開口部以外の部分が密閉された構造の容器である白蟻検知装置とした発明では、特に上記の作用が確実に現れる。
【００１６】
また、白蟻を検知すると同時に駆除する白蟻検知・駆除装置では、白蟻が出入り可能な開口部を有する容器を設け、この容器内に白蟻の誘引剤を収容した白蟻検知装置において、前記容器の一部または全体を容器外部から内部の白蟻を確認可能な透視性素材で形成すると共に、前記誘引剤には駆除剤が一体に保持されている白蟻検知・駆除装置としたのである。
【００１７】
上記したように構成される装置では、容器の内部に白蟻が生息または捕捉もしくは駆除されているかどうかを観察するために、容器内部を外気に曝すようにして開けて観察する必要はなくなり、容器の内部に外気が流れ込むことによる弊害、すなわち、白蟻の逃走や営巣場所の移転といったサンプリングの正確性を損ねたり、駆除効率が不正確になる事態を防止できる。
【００１８】
また、誘引剤の木材などの中に巣を作る習性のイエシロアリなどのシロアリに対して、これを密閉容器内で営巣させて白蟻の群れ全体を確実に駆除することもできる。
【００１９】
そして、より確実に装置内に白蟻を誘引するためには、上記した白蟻検知・駆除装置において、白蟻が出入り可能な開口部に帯状の導入補助誘引剤を挿入して設けることが好ましい。
【００２０】
上記した構成の白蟻検知・駆除装置では、開口部から離れた位置に形成された蟻道に対し、所要の長さに形成された帯状の導入補助誘引剤の一端を蟻道に接触または接近させておくだけで、装置の設置位置が蟻道から離れている場合でも導入補助誘引剤の内外に装置の開口部に通じる蟻道を人工的に形成することができる。これにより、装置の周囲に徘徊する白蟻が装置外に逸れることなく、確実に装置内で導入し、または営巣するようになり、白蟻の群れ全体または多数を確実に駆除することができる。
【００２１】
【発明の実施の形態】
この発明の実施形態を添付図面に基づいて説明する。
【００２２】
図１および図２に示すように、実施形態として白蟻の検知装置または駆除装置としても使用できる白蟻検知・駆除装置Ａは、白蟻が出入り可能な開口部１を形成した容器の本体２と、その上面開口を密閉可能な蓋３とからなる容器を設け、この容器内に白蟻の誘引剤４を収容し、容器の全部を外部から内部の白蟻を目視可能な透視性素材であるポリアクリル製の合成樹脂で形成したものである。
【００２３】
開口部１は、容器の底面の一部に幅１ｃｍ、長さ３ｃｍの長方形状に開口させたものであり、段ボール紙を筒状に巻いて湿らせた導入補助誘引剤５の一端を差し込んで用いるようにしている。
【００２４】
そして、白蟻の検知と共に駆除を行なう場合には、前記誘引剤には殺虫性の駆除剤として、例えばフェニトロチオン、フェンチオン、クロルピリホス、クロルピリホスメチルなどの有機リン系化合物、ＢＰＭＣ、カルバリル、ＣＰＭＣ、イソプロカルブ、メソミル、ＭＰＭＣ、ＭＴＭＣなどのカーバメイト系化合物、フェノトリン、シフェノトリン、ペルメトリン、シペルメトリン、ビフェントリン、レスメトリン、トラロメトリン、デカメトリンなどのピレスロイド系化合物、ホウ酸、スルフルラミド、またはニテンピラム、アセタニプリド、イミダクロプリドなどのクロロニコチニル系の化合物、ジフルベンズロン、テフルベンズロン、トリフルムロン、クロルフルアズロン、ブプロフェジン、ルフェヌロン、フェノキシカルブ、メトプレン、ピリプロキシフェン、ハイドロプレン、シロマジン、ヘキサフルムロンなどの殺蟻成分を塗布、含浸、添着など周知の手法で含ませて使用できる。なお、これらのシロアリ駆除用薬剤は、餌成分と混合して毒餌剤の形態に製剤されたものを使用してもよく、必要に応じて容器内に設置または散布することもできる。
【００２５】
この発明に用いる容器は、白蟻が出入り可能な開口部を有し、その素材は使用環境に所要の耐水性と気密性のある容器であればよい。容器の大きさは、これを限定する必要はないが、敢えて示せば３００〜５０００ｃｍ３　程度の容積のものが一般的に用いられる。
【００２６】
また、容器の材質としては、例えばアクリル樹脂、ポリ塩化ビニル、ポリエチレン、ポリプロピレン、ポリスチレン、生分解性ポリマーなどの合成樹脂、またはガラス質の無機物からなる透視性のある素材（透明または薄色に着色されているが透視可能な状態であるものを含む。）が挙げられるが、特にこのような具体例に限定されるものではない。
【００２７】
また、上記の透視性素材と共に他の材料として、金属、セラミックス、木材などの不透明性の材料を併用し、容器の上面、底面、側面などの一部をガラスやプラスチックで透視可能にしたものであってもよい。
【００２８】
容器の内部に収容する誘引剤は、サンプリングまたは駆除対象となる白蟻にとって嗜好性がある素材、すなわち噛みやすく、喫食性の良い餌剤等であることが好ましく、チップ、バルク、木皮、オガクズなどの木質片、ロール紙その他のセルロース系の素材もしくは発泡スチロールなどが挙げられ、より好ましくは営巣の素材にもなる木質片、ロール紙、発泡スチロールから選ばれるものである。
【００２９】
また、上記の餌となる材料に白蟻の誘引性物質であるカンファー、ツエン、リナロール、カジネン、テレピン油、ボルネオール、メチルアニソール、シンナミルアルコール、イソサフロールなどを含有する溶液を含ませた誘引剤を用いても良い。
【００３０】
容器は、地面に掘った穴や溝にその一部だけが地上に露出するように埋設してもよく、単に地面に置くだけもよい。これらの設置態様に応じて、白蟻の出入り可能な開口部の形成位置を地面に対面または接するようにもしくはできるだけ近づけるように調整して形成する。
【００３１】
また、図３に示す白蟻検知・駆除装置Ａの使用状態は、蟻道を発見した場合や装置の周囲に蟻道形成の障害となるような排水溝６などがある場合において、装置内に確実に白蟻を誘引するために、白蟻検知・駆除装置Ａの白蟻が出入り可能な開口部１に帯状の導入補助誘引剤７を挿入して設けたものである。
【００３２】
帯状の導入補助誘引剤７は、例えば段ボール紙や布や枯れた木材などの白蟻の餌となる素材で形成することが好ましく、これらはいずれも水に湿らせた状態で用いることが誘引性を高めるために好ましい手法である。また、このような帯状の導入補助誘引剤７を、排水溝６などの溝や隙間に跨がるように掛け渡したり、または対向する柱や壁の間などを掛け渡すなど、さらには空中に蟻道が延長されるように配置してもよく、その際に中空の素材である金属製やプラスチック製の管８や板状や棒状の添え木（図示せず。）などに導入補助誘引剤７を沿わせるか、または管８の内側に一部を挿入または全体を貫通させて用いることができる。
【００３３】
このようにすると白蟻検知・駆除装置は、開口部１から離れた位置に形成された蟻道に対しても、帯状の導入補助誘引剤７によって装置の開口部１に通じる蟻道を人為的に形成することができ、この人為的蟻道を利用してコーナーや狭窄した場所など、通常は設置し難い場所にも装置を簡単に設置できるようになる。
【００３４】
【実施例】
ポリアクリル製の合成樹脂製の透明性容器（５０×３０×２５ｃｍ）内に誘引剤として長方体状直径１５ｃｍ、長さ２５ｃｍとなるように、軟質紙を巻いたロール２個を収容すると共に、誘引用のパインオイル５０ｐｐｍ水溶液を各容器内に１リットルずつ注入し、段ボール紙で形成した幅３ｃｍ、厚さ５ｍｍの帯状の補助導入餌材を底面開口部に差し込んで、蓋を完全に閉めた状態で地面に蓋の上面が露出さするように埋設した。
【００３５】
この試験は、夏期（８月中旬）から秋期（１０月初旬）まで約２か月間継続して行ない、その後に誘引剤の食跡を観察した。
【００３６】
この結果、白蟻検知装置を設置した１０軒の家屋のうち、８軒についてそれぞれ１つの容器内の誘引剤に白蟻の食跡が発見され、その生息が検知された。その後、検知された白蟻が容器内の誘引剤に営巣した状態を確認し、駆除用薬剤を散布して群れ全体を駆除した。
【００３７】
【発明の効果】
この発明は、以上説明したように、容器の一部または全体を容器外部から内部の白蟻を目視可能な透視性素材で形成したことを特徴とする白蟻検知装置または白蟻検知・駆除装置としたので、容器の内部に白蟻が生息しているかどうかを観察するために、容器内部を外気に曝すように開けて観察する必要はなくなり、誘引された白蟻の有無または誘引数を簡単にかつ白蟻を容器外に逃走させず正確に、または巣を移転させてしまわず確実に確認し、さらには駆除できるという利点がある。
【００３８】
白蟻が出入り可能な開口部に帯状の導入補助誘引剤を挿入して設けた白蟻検知・駆除装置は、開口部から離れた位置に形成される蟻道に対し、開口部に通じる蟻道を人為的に連結でき、これによって白蟻の群れ全体または多数を効率よく駆除できる利点がある。
【図面の簡単な説明】
【図１】実施形態の白蟻検知・駆除装置を構成する部品に分解して示す斜視図
【図２】実施形態の白蟻検知・駆除装置に白蟻が誘引された状態を示す斜視図
【図３】実施形態の白蟻検知・駆除装置の使用状態を示す説明図
【符号の説明】
１　開口部
２　容器の本体
３　蓋
４　誘引剤
５　導入補助誘引剤
６　排水溝
７　帯状の導入補助誘引剤
８　管
【図１】
2004113103.tif 000003
【図２】
2004113103.tif 000004
【図３】
2004113103.tif 000005